(57)【特許請求の範囲】
【請求項１】
取付パネルに形成された開口部の表側から挿着されるスイッチユニットが、前記開口部の裏側に配置されるロックケースを介して前記取付パネルに固定されるスイッチユニットの取付構造であって、
前記スイッチユニットが、前記開口部に係止される鍔部を有するスイッチケースと、該スイッチケースの裏蓋に回動可能に取り付けられた回動ロック部材とを備え、
前記ロックケースが、前記開口部周辺の裏面に当接される当接部と、前記回動ロック部材を貫通させる貫通孔と、該貫通孔を貫通した前記回動ロック部材の回動を規制する回動規制手段とを備え、
前記貫通孔を貫通した前記回動ロック部材が前記回動規制手段による規制位置まで回転させられることにより、前記ロックケースに前記回動ロック部材が回動規制状態で係止され、前記取付パネルに前記スイッチユニット及び前記ロックケースが一体的に固定されるように構成されていることを特徴とするスイッチユニットの取付構造。
【請求項２】
取付パネルに形成された開口部の表側から挿着されるスイッチユニットが、前記開口部の裏側に配置されるロックケースを介して前記取付パネルに固定されるスイッチユニットの取付構造であって、
前記スイッチユニットが、前記開口部に係止される鍔部を有するスイッチケースと、該スイッチケースの裏蓋に回動可能に取り付けられた回動ロック部材とを備え、
前記ロックケースが、前記開口部周辺の裏面に予め装着されるものであり、前記回動ロック部材を貫通させる貫通孔と、該貫通孔を貫通した前記回動ロック部材の回動を規制する回動規制手段とを備え、
前記貫通孔を貫通した前記回動ロック部材が前記回動規制手段による規制位置まで回転させられることにより、前記ロックケースに前記回動ロック部材が回動規制状態で係止されるように構成されていることを特徴とするスイッチユニットの取付構造。
【請求項３】
前記スイッチユニットが、前記裏蓋に前記回動ロック部材の回動範囲を規制する回動範囲規制部を備え、
前記回動ロック部材が、前記回動範囲規制部に係止させる係止部を備えていることを特徴とする請求項１又は請求項２記載のスイッチユニットの取付構造。
【請求項４】
前記回動規制手段が、前記貫通孔を有する前記ロックケースの底面部に形成された突起係止部を含み、
前記回動ロック部材が、前記ロックケースの前記底面部を押圧する押圧部と、前記突起係止部に係止させる突起部と備えていることを特徴とする請求項１〜３のいずれかの項に記載のスイッチユニットの取付構造。
【請求項５】
前記回動規制手段が、前記ロックケースの胴部から延出された弾性係止部を含み、該弾性係止部の先端側に挟持部が形成され、
前記回動ロック部材が、当該回動ロック部材を回動させるための摘み部を備え、
前記挟持部に前記摘み部が挟持されるように構成されていることを特徴とする請求項１〜４のいずれかの項に記載のスイッチユニットの取付構造。
【発明の詳細な説明】
【技術分野】
【０００１】
本発明はスイッチユニットの取付構造及び遊技機に関し、より詳細には、取付パネルに形成された開口部にボタンスイッチや十字スイッチなどのスイッチユニットを固定するためのスイッチユニットの取付構造、及び該取付構造が採用された遊技機に関する。
【背景技術】
【０００２】
弾球式遊技機（パチンコ機）や回胴式遊技機（パチスロ機）等の遊技機には、筐体の前面に配置されるフロントドアの操作パネル部に遊技者の操作を受け付けるための押しボタンスイッチ、スタートスイッチなどの各種スイッチユニットが配設されている。これらスイッチユニットの取付けは、前記操作パネル部の裏面側からビス（ネジ）止めされる構造、スイッチユニットの本体外周部に形成された螺刻部に前記操作パネル部の裏面側からナット部材を螺合させる構造、スイッチユニットの本体外周部に設けられた弾性係止爪を前記操作パネル部の裏面側に弾性係止させる構造などが従来採用されている（例えば、下記の特許文献１〜５参照）。
【０００３】
しかしながら、前記操作パネル部の裏面側からビス（ネジ）止めされる構造や前記操作パネル部の裏面側からナット部材を螺合させる構造は、工具等を使用する必要があるため、取付け作業や取外し作業が煩雑となり、面倒であるという課題があった。また、前記操作パネル部の裏面側に前記弾性係止爪を係止させる構造では、取付け作業は比較的容易になるものの、前記弾性係止爪の係止のみの取り付けでは、前記操作パネル部の開口部の全周にわたる均等な密着強度が得られず、該スイッチユニットの取付け後にガタ付きが発生しやすいという課題があった。
【先行技術文献】
【特許文献】
【０００４】
【特許文献１】特開２０１０−１２２３９号公報
【特許文献２】特開２００７−３６０号公報
【特許文献３】特開２００７−２４３９１６号公報
【特許文献４】特開２００４−１６６７７８号公報
【特許文献５】特開２００４−１５４４５４号公報
【発明の概要】
【課題を解決するための手段及びその効果】
【０００５】
本発明は上記課題に鑑みなされたものであって、取付パネルへのスイッチユニットの取付け作業及び取外し作業を簡単に行うことができ、しかもスイッチユニットの取付パネルへの取付け後も長くガタ付くことなくしっかりと固定できているスイッチユニットの取付構造及び遊技機を提供することを目的としている。
【０００６】
上記目的を達成するために本発明に係るスイッチユニットの取付構造（１）は、取付パネルに形成された開口部の表側から挿着されるスイッチユニットが、前記開口部の裏側に配置されるロックケースを介して前記取付パネルに固定されるスイッチユニットの取付構造であって、前記スイッチユニットが、前記開口部に係止される鍔部を有するスイッチケースと、該スイッチケースの裏蓋に回動可能に取り付けられた回動ロック部材とを備え、前記ロックケースが、前記開口部周辺の裏面に当接される当接部と、前記回動ロック部材を貫通させる貫通孔と、該貫通孔を貫通した前記回動ロック部材の回動を規制する回動規制手段とを備え、前記貫通孔を貫通した前記回動ロック部材が前記回動規制手段による規制位置まで回転させられることにより、前記ロックケースに前記回動ロック部材が回動規制状態で係止され、前記取付パネルに前記スイッチユニット及び前記ロックケースが一体的に固定されるように構成されていることを特徴としている。
【０００７】
上記スイッチユニットの取付構造（１）によれば、前記回動ロック部材が前記回動規制手段による規制位置まで回動させられることにより、前記ロックケースに前記回動ロック部材が回動規制状態で係止され、前記取付パネルに前記スイッチユニット及び前記ロックケースが一体的に固定されるので、前記取付パネルに前記スイッチユニットと前記ロックケースとを一度に簡単に取り付けることができ、取付け工数を少なくすることができ、また取外し作業も簡単に行うことができる取付構造とすることができる。また、前記ロックケースに前記回動ロック部材が回動規制状態で係止されているので、前記スイッチユニットの前記取付パネルへの取付け後も長くガタ付くことなくしっかりと固定できる。
【０００８】
また本発明に係るスイッチユニットの取付構造（２）は、取付パネルに形成された開口部の表側から挿着されるスイッチユニットが、前記開口部の裏側に配置されるロックケースを介して前記取付パネルに固定されるスイッチユニットの取付構造であって、前記スイッチユニットが、前記開口部に係止される鍔部を有するスイッチケースと、該スイッチケースの裏蓋に回動可能に取り付けられた回動ロック部材とを備え、前記ロックケースが、前記開口部周辺の裏面に予め装着されるものであり、前記回動ロック部材を貫通させる貫通孔と、該貫通孔を貫通した前記回動ロック部材の回動を規制する回動規制手段とを備え、前記貫通孔を貫通した前記回動ロック部材が前記回動規制手段による規制位置まで回転させられることにより、前記ロックケースに前記回動ロック部材が回動規制状態で係止されるように構成されていることを特徴としている。
【０００９】
上記スイッチユニットの取付構造（２）によれば、前記貫通孔を貫通した前記回動ロック部材が前記回動規制手段による規制位置まで回転させられることにより、前記ロックケースに前記回動ロック部材が回動規制状態で係止されるので、前記取付パネルに前記スイッチユニットを簡単に取り付けることができ、また取外し作業も簡単に行うことができる取付構造とすることができる。また、前記ロックケースに前記回動ロック部材が回動規制状態で係止されているので、前記スイッチユニットの前記取付パネルへの取付け後も長くガタ付くことなくしっかりと固定できる。
【００１０】
また本発明に係るスイッチユニットの取付構造（３）は、上記スイッチユニットの取付構造（１）又は（２）において、前記スイッチユニットが、前記裏蓋に前記回動ロック部材の回動範囲を規制する回動範囲規制部を備え、前記回動ロック部材が、前記回動範囲規制部に係止させる係止部を備えていることを特徴としている。
【００１１】
上記スイッチユニットの取付構造（３）によれば、前記回動ロック部材を回動させるときに、前記係止部が前記裏蓋の回動範囲規制部に係止されることにより、前記回動ロック部材の回動範囲を適切に規制することができる。
【００１２】
また本発明に係るスイッチユニットの取付構造（４）は、上記スイッチユニットの取付構造（１）〜（３）のいずれかにおいて、前記回動規制手段が、前記貫通孔を有する前記ロックケースの底面部に形成された突起係止部を含み、前記回動ロック部材が、前記ロックケースの前記底面部を押圧する押圧部と、前記突起係止部に係止させる突起部と備えていることを特徴としている。
【００１３】
上記スイッチユニットの取付構造（４）によれば、前記ロックケースの前記貫通孔に貫通させた前記回動ロック部材を回動させるときに、前記回動ロック部材の前記押圧部で前記ロックケースの前記底面部を押圧することができ、また、前記突起部を前記突起係止部に係止させることにより、前記回動ロック部材の回動を規制することができ、前記スイッチユニットを前記取付パネルにガタ付くことなくしっかりと密着させた状態で固定することができる。
【００１４】
また本発明に係るスイッチユニットの取付構造（５）は、上記スイッチユニットの取付構造（１）〜（４）のいずれかにおいて、前記回動規制手段が、前記ロックケースの胴部から延出された弾性係止部を含み、該弾性係止部の先端側に挟持部が形成され、前記回動ロック部材が、当該回動ロック部材を回動させるための摘み部を備え、前記挟持部に前記摘み部が挟持されるように構成されていることを特徴としている。
【００１５】
上記スイッチユニットの取付構造（５）によれば、前記摘み部により前記回動ロック部材を容易に回動させることができ、前記回動ロック部材を規制位置まで回動させたときに、前記摘み部を前記弾性係止部の前記挟持部に挟持させることができ、前記回動ロック部材の回動をより確実に規制することができる。
【００２２】
また本発明に係る遊技機は、遊技者により操作されるスイッチユニットを備えた遊技機であって、上記スイッチユニットの取付構造（１）〜（５）のいずれかを備えていることを特徴としている。
【００２３】
上記遊技機によれば、当該遊技機に設けられる前記スイッチユニットの取付け作業や取外し作業において、上記した効果を得ることができる。
【図面の簡単な説明】
【００２４】
【図１】本発明の実施の形態に係るスイッチユニットの取付構造が採用された遊技機を示す正面図である。
【図２】実施の形態に係る遊技機における操作パネル部を示す外観斜視図である。
【図３】スイッチユニットしてのマックスベットボタンユニットとロックケースを示す部分分解上面斜視図である。
【図４】スイッチユニットしてのマックスベットボタンユニットとロックケースを示す部分分解底面斜視図である。
【図５】スイッチユニットしてのマックスベットボタンユニットを示す分解斜視図である。
【図６】スイッチユニットしてのスペシャルボタンユニットと予め取付けタイプのロックケースを示す部分分解上面斜視図である。
【図７】スイッチユニットしてのスペシャルボタンユニットと予め取付けタイプのロックケースを示す部分分解底面斜視図である。
【図８】スイッチユニットしてのスペシャルボタンユニットを示す分解斜視図である。
【図９】スイッチユニットしての十字スイッチユニットとロック部材を示す上面斜視図である。
【図１０】スイッチユニットしての十字スイッチユニットとロック部材を示す底面斜視図である。
【図１１】実施の形態に係る回胴式遊技機の各スイッチユニットが操作パネル部に取り付けられる前の状態を示す操作パネル部の背面側斜視図である。
【図１２】実施の形態に係る回胴式遊技機の各スイッチユニットが操作パネル部に取り付けられた状態（ロックされた状態）を示す操作パネル部の背面側斜視図である。
【図１３】実施の形態に係る回胴式遊技機の操作パネル部の裏面図であり、（ａ）はスイッチユニットしてのマックスベットボタン、スペシャルボタン、及び十字スイッチが操作パネル部に挿着されてロックされる前の状態、（ｂ）はロックされた後の状態を示している。
【発明を実施するための形態】
【００２５】
以下、本発明に係るスイッチユニットの取付構造及び遊技機の実施の形態を図面に基づいて説明する。遊技機としては、回胴式遊技機（スロットマシン）、弾球式遊技機（パチンコ機）、パロットなど様々な種類が存在する。本実施の形態では、回胴式遊技機に適用した場合について説明するが、本発明は何らこれらに限定されるものではない。
図１は、実施の形態に係るスイッチユニットの取付構造が採用された回胴式遊技機を示す正面図である。図２は、実施の形態に係る遊技機における操作パネル部を示す外観斜視図である。
【００２６】
回胴式遊技機１は、正面が開口された略直方体形状をした筐体２と、筐体２の正面開口に開閉可能に取り付けられる前扉３とを備えている。筐体２の内部には、３個の回転リール４ａ、４ｂ、４ｃが横並びに設けられたリールユニット４の他、メダルを貯留及び払出可能なホッパーユニット（図示せず）、遊技全体を統括制御する主制御基板（図示せず）、この主制御基板からの指令に基づき遊技演出を行う表示出力ユニット、音声出力ユニット、及びランプユニット等（いずれも図示せず）に制御信号を出力する副制御基板（図示せず）、及び各部へ電力を供給する電源装置（図示せず）などが収容されている。
【００２７】
前扉３の略中央部には、各回転リール４ａ、４ｂ、４ｃの図柄を表示する図柄表示部５が設けられ、例えば、縦横各３個の計９個からなる図柄が表示可能となっている。前扉３の図柄表示部５の上方には、液晶パネル等で構成される表示演出部６が設けられ、表示演出部６には、例えば、各種の遊技情報や演出情報が表示される。
【００２８】
また、前扉３の図柄表示部５の下方には、遊技者による各種操作を受け付ける操作パネル部７が設けられ、操作パネル部７には、メダル投入部８、マックスベットボタン（マックスベットボタンユニット）９、スタートレバー１０、３個のストップボタン１１、スペシャルボタン（スペシャルボタンユニット）１２、十字スイッチ（十字スイッチユニット）１３等が設けられている。
【００２９】
メダル投入部８は、遊技媒体である円板状のメダルを投入する部分であり、マックスベットボタン９は、クレジット状態（ゲームが入賞したときに付与されるメダルやメダル投入部に投入されたメダルを主制御基板に設けたメモリに電気的に蓄積した状態）のメダルを最大３枚、ゲームに投資するときに操作されるボタンである。スタートレバー１０は、各回転リール４ａ、４ｂ、４ｃを回転させるときに操作されるレバーであり、ストップボタン１１は、各回転リール４ａ、４ｂ、４ｃの回転を停止させるときに操作されるボタンである。
【００３０】
スペシャルボタン１２は、例えば、表示演出部６に表示される各種ゲームやその映像演出に応じて要求される情報を遊技者自身による操作（１回又は連打）により入力するための手段である。十字スイッチ１３は、例えば、表示演出部６に表示される各種ゲームやその映像演出に応じて要求される上下左右の方向指示情報を遊技者自身による操作により入力するための手段である。
【００３１】
前扉３の操作パネル部７の下方には、機種名や遊技に関わるキャラクター等が表示される表示プレート１４等が設けられ、表示プレート１４の下方には、コインが払い出される払出口１５、払出口１５から払い出されたコインを受ける受け皿１６が設けられている。また、払出口１５の側方には、演出音を発するスピーカ１７が設けられている。
【００３２】
回胴式遊技機１の通常遊技では、遊技者がメダルをメダル投入部８に所定枚数投入した後、スタートレバー１０を操作すると、そのタイミングでボーナス、複数の小役、又はリプレイ役（再遊技）の内部抽選が実行され、回転リール４ａ、４ｂ、４ｃ（殆どの場合３つ又は４つである。）を回転させて各リール上に表示（描画）された複数の図柄を変動させる変動表示ゲームが開始される。
【００３３】
変動表示ゲームの開始後に、遊技者が各回転リール４ａ、４ｂ、４ｃに対応するストップボタン１１（左、中、右）を操作して、内部当選した小役の図柄が所定の組み合わせで有効ライン上に表示されると入賞となり、１枚〜１５枚程度の遊技メダルが払い出される。一方、リプレイ図柄が有効ライン上に表示された場合には、リプレイ（再遊技）が作動して、遊技メダルを投入することなく（又は、前回遊技での投入枚数をそのまま自動投入表示して）、次回の遊技を行うことが可能となる。
【００３４】
通常遊技の内部抽選の結果により、ビッグボーナスが内部当選し、遊技者のストップボタン１１の操作により、特定図柄として、例えば、赤７図柄や青７図柄が有効ライン上に揃って停止及び表示された場合に、遊技者にとって最も有利な遊技モードであるビッグボーナスゲームモード（ＢＢゲームモード：役物連続作動装置）に突入し、大量の遊技メダルが一気に獲得可能となる。また、レギュラーボーナスが当選し、特定図柄として、例えばバー図柄が有効ライン上に揃った場合には、レギュラーボーナスゲーム（ＲＢゲーム）が実行され、ＢＢゲームには及ばないものの、相応の遊技メダルが獲得可能となる。遊技者にとっては、これらのボーナスゲームを成立させることが回胴式遊技における関心事である。なお、内部抽選を実行した結果、ボーナスゲームが当選した場合や放出する場合には、ＲＡＭ又はＲＷＭなどのデータ記憶領域にボーナスフラグを立てて記憶することにより、特定図柄（例えば、７図柄やバー図柄）が揃うまで、当該フラグが以降の変動表示ゲームに持ち越されるようになっている。
【００３５】
次に、実施の形態に係る回胴式遊技機１の操作パネル部７に配設されたスイッチユニットしてのマックスベットボタンユニット９、スペシャルボタンユニット１２、及び十字スイッチユニット１３の取付構造について説明する。
図３は、マックスベットボタンユニット９とロックケース９０を示す部分分解上面斜視図であり、図４は、マックスベットボタンユニット９とロックケース９０を示す部分分解底面斜視図である。図５は、マックスベットボタンユニット９を示す分解斜視図である。
【００３６】
マックスベットボタンユニット９は、図５に示すように、押圧操作可能な操作ボタン部３０と、コイルバネ４０と、ボタンケース５０と、ボタン基板部６０と、ボタンケース５０の裏面を閉口する裏蓋７０と、回動ロック部材８０とを含んで構成されている。
操作ボタン部３０は、図５に示すように、ボタンキャップ３１、デザインシート３２、及びケース部材３３を含んで構成されている。
【００３７】
ボタンケース５０は、胴部５１及び鍔部５２を備え、鍔部５２は、操作パネル部７に取り付けたときに、操作パネル部７の表面に現れるように、胴部５１の上端部に形成された段部５３を介して形成されている。胴部５１は、外形筒状であり、対向する円弧側面部５１ａと、円弧側面部５１ａの端部が連結された平行側面部５１ｂとを備え、円弧側面部５１ａには、上端部から中間部にかけて螺刻部５４が形成され、平行側面部５１ｂの一方側には、ハーネス６５を接続するための切欠部５５が形成されている。鍔部５２の上側裏面には、操作パネル部７の開口部７ａに形成させた切欠部（図示せず）に係止させる回転止め部５６が突設されている。胴部５１の底面開口には、裏蓋７０のネジ止め部７３が嵌め込まれる溝部５７が対角線上に２箇所形成されている。
【００３８】
ボタン基板部６０は、四方が切欠かれた略矩形の基板６１、ハウジング部材６２、ソケット部材６３、及び発光部６４を含んで構成されている。
裏蓋７０は、ボタンケース５０の胴部５１底面開口を塞ぐ形状に形成され、上面の外周部に沿って形成された嵌合用枠部７１と、下面の周縁部対角線上の２箇所に形成されたネジ止め孔７２を有する凹状のネジ止め部７３と、下面の略中央部から下方略円錐台状に突設され、回動ロック部材８０を回動可能にネジ止めするための凸部７４と、凸部７４の側面２箇所から略直径方向に板片状に延出され、回動ロック部材８０の回動範囲を規制する回動範囲規制部７５と、ロックケース９０の嵌合用凸部１００を係止させるための嵌合孔７６とを含んで構成されている。裏蓋７０は、ネジ止め部７３のネジ止め孔７２に通したネジ７７でボタンケース５０に螺着される。
【００３９】
回動ロック部材８０は、短辺側が略円弧状に形成された略矩形形状をしたロック板部８１と、ロック板部８１の下面側長手方向両端部に突設された摘み部８２と、ロック板部８１の中央部に形成されたネジ孔８３と、ロック板部８１の上面側ネジ孔周囲における対向する２箇所に、裏蓋７０の凸部７４側面に摺接させる態様で突設された係止部８４と、ロック板部８１の上面両短辺側に円弧状に突設された押圧部８５と、押圧部８５の一端から上方に向けて突設された位置決め用の突起部８６とを含んで構成されている。押圧部８５は、一端側から他端側の突起部８６に向けて、突設部分の高さが高くようにテーパ形状に形成されている。回動ロック部材８０は、ワッシャー８８を介してネジ孔８３に通したネジ８７で裏蓋７０の凸部７４に螺着される。
【００４０】
係止部８４は、回動ロック部材８０を回動させる場合に、裏蓋７０の回動範囲規制部７５に係止させて、回動ロック部材８０の回動範囲（回動角度）を規制するためのものであり、裏蓋７０の凸部７４側面に摺接させる円弧状の摺接部８４ａと、摺接部８４ａの両端から延出された２つの係止片８４ｂとを備え、２つの係止片８４ｂはその延長線が直交する態様で形成されている。裏蓋７０の回動範囲規制部７５と、回動ロック部材８０の係止部８４とにより、回動ロック部材８０の回動範囲が、所定範囲、すなわち本実施の形態では約９０度の範囲に設定されている。
【００４１】
ロックケース９０は、図３、４に示すように、ボタンケース５０の胴部５１を嵌め込み可能な有底筒状に形成され、胴部９１及び底面部９２を含んで構成されている。胴部９１は、操作パネル部７の開口部周辺の裏面に当接させる略楕円形状をした当接部９３と、対向する円弧側面部９１ａと、円弧側面部９１ａの端部が連結された平行側面部９１ｂとを備えている。円弧側面部９１ａの内側面４箇所には、ボタンケース５０の螺刻部５４に当接させて保持するための保持片９４が突設されている。平行側面部９１ｂの一方側には、平行側面部９１ｂの中央付近から下方に延出された細板状の弾性アーム部９５と、弾性アーム部９５の先端部内側に突設された底面視略Ｕ字形状の挟持部９６とが形成され、回動ロック部材８０を所定の規制位置まで回動させたときに、挟持部９６に回動ロック部材８０の摘み部８２が挟持（保持）されるようになっている。また、平行側面部９１ｂの他方側には、ボタン基板部６０のソケット部材６３にハーネス６５を接続するための窓部９７が形成されている。
【００４２】
ロックケース９０の底面部９２には、回動ロック部材８０を貫通させる貫通孔９８と、回動ロック部材８０を貫通孔９８に貫通させた状態で、回動ロック部材８０を所定の規制位置まで回動させたときに、回動ロック部材８０の位置決め用の突起部８６を係止させるための位置決め係止部（係止孔）９９とが形成されている。ロックケース９０の底面部９２上面（ケース内側面）には、裏蓋７０の嵌合孔７６に嵌合させるための嵌合用凸部１００が形成されている。また、回動ロック部材８０を所定の規制位置まで回動させたときに回動ロック部材８０の押圧部８５が底面部９２を押圧するように構成されている。
【００４３】
図６は、スイッチユニットしてのスペシャルボタンユニット１２とロックケース１７０を示す部分分解上面斜視図であり、図７は、スペシャルボタンユニット１２とロックケース１７０を示す部分分解底面斜視図である。図８は、スペシャルボタンユニット１２を示す分解斜視図である。
【００４４】
スペシャルボタンユニット１２は、図８に示すように、押圧操作可能な平面視略横長八角形をした操作ボタン部１１０と、左右に配置された２つのコイルバネ１２０、１２１と、ボタンケース１３０と、スイッチ基板部１４０と、ボタンケース１３０の裏面を閉口する裏蓋１５０と、回動ロック部材１６０とを含んで構成されている。
【００４５】
操作ボタン部１１０は、図８に示すように、ボタンキャップ１１１、デザインシート１１２、ボタンプレート１１３、ボタンベース部１１４、及びボタン遮光板１１５を含んで構成され、ボタンベース部１１４の左右側面から下方に弾性爪片１１６が延出されている。操作ボタン部１１０は、中央部が押されると全体が沈み、右端部が押されると右側だけが沈み、左端部が押されると左側だけが沈むように構成されている。
【００４６】
ボタンケース１３０は、胴部１３１及び鍔部１３２を備え、鍔部１３２は、操作パネル部７に取り付けたときに、操作パネル部７の表面に現れるよう、胴部１３１の上端部に形成された段部１３３を介して形成されている。胴部１３１は、外形横長八角形の有底筒状であり、段部１３３の左右底面には、ボタンベース部１１４の弾性爪片１１６が係止される係止孔１３４が形成されている。胴部１３１の底面には、貫通孔１３５ａを備えた凸部１３５が２箇所に形成され、凸部１３５の外周部が、コイルバネ１２０、１２１を配置するバネ座として機能するように構成されている。貫通孔１３５ａには、ボタンベース１１４の下面に突設されたネジ孔を備えた２つのボス（図示せず）が遊嵌され、これら２つボスのネジ孔に凸部１３５の下面側からネジ１３６が螺着され、ネジ１３６の頭部が凸部１３５の貫通孔１３５ａ下側の淵部に当って係止されるように構成されている。
ネジ１３６の頭部が凸部１３５の貫通孔１３５ａ下側の淵部に当って係止されるため、弾性爪片１１６が係止孔１３４から外れたとしても、操作ボタン部１１０全体がボタンケース１３０から抜ける（外れる）ことを防止でき、また、貫通孔１３５ａにボスが遊嵌されているので、これらボスにネジ１３６が取り付けられている状態で操作ボタン部１１０の上下方向への移動が自在となっている。また、鍔部１３２の上側裏面には、操作パネル部７の開口部７ｂに形成させた切欠部（図示せず）に係止させる回転止め部１３７が突設されている。
【００４７】
スイッチ基板部１４０は、略横長八角形の基板１４１、基板１４１の上面に配設されたハウジング部材１４２、及び基板１４１の下面左寄りに配設されたソケット部材１４３を含んで構成されている。
裏蓋１５０は、ボタンケース１３０の胴部１３１底面開口を塞ぐように略横長八角形に形成され、上面の外周部に沿って形成された嵌合用枠部１５１と、下面の左右端部に形成されたネジ止め孔１５２を有する凹状のネジ止め部１５３と、下面の略中央部から下方略円錐台状に突設され、回動ロック部材１６０を回動可能にネジ止めするための凸部１５４と、凸部１５４の側面２箇所から略直径方向に板片状に延出され、回動ロック部材１６０の回動範囲を規制する回動範囲規制部１５５と、スイッチ基板部１４０のソケット部材１４３を嵌め込むための開口部１５６とを含んで構成されている。裏蓋１５０は、ネジ止め部１５３のネジ止め孔１５２に通したネジ１５７でボタンケース１３０に螺着される。
【００４８】
回動ロック部材１６０は、短辺側が略円弧状に形成された略矩形形状をしたロック板部１６１と、ロック板部１６１の下面側長手方向両端部に突設された摘み部１６２と、ロック板部１６１の中央部に形成されたネジ孔１６３と、ロック板部１６１の上面側ネジ孔１６３周囲における対向する２箇所に、裏蓋１５０の凸部１５４側面に摺接させる態様で突設された係止部１６４と、ロック板部１６１の上面両短辺側に円弧状に突設された押圧部１６５と、押圧部１６５の一端から上方に向けて突設された位置決め用の突起部１６６とを含んで構成されている。押圧部１６５は、一端側から他端側の突起部１６６に向けて、突設部分の高さが高くようにテーパ形状に形成されている。回動ロック部材１６０は、ワッシャー１６８を介してネジ孔１６３に通したネジ１６７で裏蓋１５０の凸部１５４に螺着される。
【００４９】
係止部１６４は、回動ロック部材１６０を回動させる場合に、裏蓋１５０の回動範囲規制部１５５に係止させて、回動ロック部材１６０の回動範囲（回動角度）を規制するためのものであり、裏蓋１５０の凸部１５４側面に摺接させる円弧状の摺接部１６４ａと、摺接部１６４ａの両端から延出された２つの係止片１６４ｂとを備え、係止片１６４ｂはその延長線が直交する態様で形成されている。裏蓋１５０の回動範囲規制部１５５と、回動ロック部材１６０の係止部１６４とにより、回動ロック部材１６０の回動範囲が、所定範囲、すなわち本実施の形態では約９０度の範囲に設定されている。
【００５０】
ロックケース１７０は、図６、７に示すように、ボタンケース１３０を嵌め込み可能な有底箱状に形成され、鍔部１７１、胴部１７２及び底面部１７３を含んで構成されている。鍔部１７１は、胴部１７２上端部から外方向に延出され、平面視略長方形形状の外形を有し、操作パネル部７の開口部７ｃに装着（係止）させるための係止爪部１７４が下辺に２箇所形成されている。また、胴部１７２の段部上辺にも係止爪部１７５が１箇所形成されている。鍔部１７１の下辺中央には、操作パネル部７の開口部７ｃに形成させた位置決め用の凸部（図示せず）に係止させる切欠部１７６が形成されている。
【００５１】
胴部１７２は、スペシャルボタンユニット１２のボタンケース１３０の胴部１３１（段部１３３を含む）を嵌め込み可能な平面視横長八角形形状に形成されている。胴部１７２の上部には、ボタンケース１３０の段部１３３を嵌め込むための段部１７７が形成され、段部１７７の左右側面には、ボタンベース部１１４の左右側面から下方に延出された弾性爪片１１６の上下動を許容するための溝部１７８が形成されている。
【００５２】
胴部１７２の下側面には、側面部の中央付近から下方に延出された細板状の弾性アーム部１７９と、弾性アーム部１７９の先端部内側に突設された底面視略Ｕ字形状の挟持部１８０とが形成され、回動ロック部材１６０を所定の規制位置まで回動させたときに、挟持部１８０に回動ロック部材１６０の摘み部１６２が挟持（保持）されるようになっている。
【００５３】
また、ロックケース１７０の底面部１７３には、回動ロック部材１６０及びソケット部材１５７を貫通させる貫通孔１８１と、回動ロック部材１６０を貫通孔１８１に貫通させた状態で、回動ロック部材１６０を所定の規制位置まで回動させたときに、回動ロック部材１６０の位置決め用の突起部１６６を係止させるための位置決め係止部（係止孔）１８２とが形成されている。また、回動ロック部材１６０を所定の規制位置まで回動させるときに回動ロック部材１６０の押圧部１６５が底面部１８２を押圧するように構成されている。
【００５４】
図９は、スイッチユニットとしての十字スイッチユニット１３とロック部材２４０を示す上面斜視図であり、図１０は十字スイッチユニット１３とロック部材２４０を示す底面斜視図である。
十字スイッチユニット１３は、円形の十字キー部２００と、スイッチケース２１０と、スイッチケース２１０に収容されるスイッチ基板部２２０と、スイッチケース２１０の裏面を閉口する裏蓋２３０とを含んで構成されている。
【００５５】
スイッチケース２１０は、胴部２１１及び鍔部２１２を備え、鍔部２１２は、操作パネル部７に取り付けたときに、操作パネル部７の表面に係止されるよう、胴部２１１の上端部に形成されている。胴部２１１は、外形円筒状であり、胴部下端部には、胴部外周面に沿って突設された係止用突部２１３が、左右２箇所に形成されている。鍔部２１２の上側裏面には、操作パネル部７の開口部７ｃに形成させた切欠部（図示せず）に係止させる回転止め部２１４が突設されている。
【００５６】
スイッチ基板部２２０は、略円形の基板２２１及び基板２２１の下面に配設されたソケット部材２２２を含んで構成されている。
裏蓋２３０は、スイッチケース２１０の胴部２１１底面開口に嵌合可能な略円形に形成され、下面の端部２箇所に形成されたネジ止め孔（図示せず）を有する凹状のネジ止め部２３１と、スイッチ基板部２２０のソケット部材２２２を嵌め込むための切欠部２３２とを含んで構成されている。裏蓋２３０は、ネジ止め部２３１のネジ止め孔に通したネジ２３３でスイッチケース２１０に螺着される。
【００５７】
ロック部材２４０は、略円形のリング部２４１と、リング部２４１の外側面から略水平方向に延出された摘み部２４２とを含んで構成され、リング部２４１には、スイッチケース２１０の胴部２１１と係止用突部２１３とを貫通可能な形状をした貫通孔部２４３と、貫通孔部２４３を貫通させた係止用突部２１３を係止させる係止部２４５とが形成されている。係止部２４５は、係止用突部２１３を貫通させる切欠部２４４に連接され、リング部２４１の内周面に段差を形成することで構成されている。係止部２４５の長さ（円弧長さ）により、ロック部材２４０の回動角度が規制され、本実施の形態では、ロック部材２４０を４５度回動可能となるように設計されている。また、係止用突部２１３における係止部２４５との係止面２１３ａが、ロック（回動）時におけるロック部材２４０を操作パネル部７側に押圧可能なテーパ状に形成されている。
【００５８】
スイッチケース２１０の胴部２１１と係止用突部２１３とを貫通孔部２４４に貫通させた状態で、ロック部材２４０を周方向（時計回り方向）に回転させて、係止用突部２１３を係止部２４５に押圧状態で係止させることにより、十字スイッチユニット１３が操作パネル部７に固定されるようになっている。
【００５９】
図１１は、実施の形態に係る回胴式遊技機１のマックスベットボタンユニット９、スペシャルボタンユニット１２、及び十字スイッチユニット１３が操作パネル部７に取り付けられる（挿着される）前の状態を示す操作パネル部７の背面側斜視図である。図１２は、マックスベットボタンユニット９、スペシャルボタンユニット１２、及び十字スイッチユニット１３が操作パネル部７に取り付けられた状態（ロックされた状態）を示す操作パネル部７の背面側斜視図である。
【００６０】
図１３は、実施の形態に係る回胴式遊技機１の操作パネル部７を示す裏面図であり、（ａ）はマックスベットボタンユニット９、スペシャルボタンユニット１２、及び十字スイッチユニット１３が操作パネル部７に挿着されてロックされる前の状態、（ｂ）はロックされた後の状態を示している。なお、図１１、１２、１３では、操作パネル部７に取り付けられるスタートレバー１０やストップボタン１１等の一部部品の記載を省略している。
【００６１】
マックスベットボタンユニット９の取り付けは、操作パネル部７の開口部７ａの裏側にロックケース９０の当接部９３を当接させた状態で仮置きし、操作パネル部７の開口部７ａの表側からマックスベットボタンユニット９を挿入し、マックスベットボタンユニット９の回動ロック部材８０及びボタンケース５０の胴部５１をロックケース９０の胴部９１に嵌め込み、回動ロック部材８０をロックケース９０の貫通孔９８に貫通させ、ボタンケース５０の鍔部５２を操作パネル部７の開口部７ａの表側に係止させる。
【００６２】
次に回動ロック部材８０の摘み部８２を摘んで、回動ロック部材８０を時計回り方向に回転させる。回動ロック部材８０の回転時において、回動ロック部材８０の押圧部８５が、ロックケース９０の底面部９２を押圧し、マックスベットボタンユニット９のロックケースへ９０の嵌め込み圧が高められる。回動ロック部材８０を回動規制位置まで回動（約９０度回動）させると、回動ロック部材８０の位置決め用の突起部８６が、ロックケース９０の底面部９２の位置決め係止部９９にそれぞれ係止されるとともに、回動ロック部材８０の摘み部８２が、ロックケース９０の弾性アーム部９５の挟持部９６に挟持され、ロック（固定）された状態（回動規制状態）となる。
【００６３】
マックスベットボタンユニット９を取り外すときは、回動ロック部材８０を反時計回りに回動させて、前記ロックされた状態を解除し、取り付け時と逆の動作を行うことで、マックスベットボタンユニット９及びロックケース９０を操作パネル部７から容易に取り外すことができる。
【００６４】
スペシャルボタンユニット１２の取り付けは、操作パネル部７の開口部７ｂの表側からスペシャルボタンユニット１２を、操作パネル部７の開口部７ｂに予め装着されたロックケース１７０に嵌め込み、回動ロック部材１６０をロックケース１７０の貫通孔１８１に貫通させ、ボタンケース１３０の鍔部１３２を操作パネル部７の開口部７ｂの表側に係止させる。
【００６５】
次に回動ロック部材１６０の摘み部１６２を摘んで、回動ロック部材１６０を時計回り方向に回転させる。回動ロック部材１６０の回転時において、回動ロック部材１６０の押圧部１６５が、ロックケース１７０の底面部１７３を押圧し、スペシャルボタンユニット１２のロックケース１７０への嵌め込み圧が高められる。回動ロック部材１６０を回動規制位置まで回動（約９０度回動）させると、回動ロック部材１６０の位置決め用の突起部１６６が、ロックケース１７０の底面部１７３の位置決め係止部１８２にそれぞれ係止されるとともに、回動ロック部材１６０の摘み部１６２が、ロックケース１７０の弾性アーム部１７９の挟持部１８０に挟持され、ロック（固定）された状態（回動規制状態）となる。
【００６６】
スペシャルボタンユニット１２を取り外すときは、回動ロック部材１６０を反時計回りに回動させて、前記ロックされた状態を解除し、取り付け時と逆の動作を行うことで、スペシャルボタンユニット１２を操作パネル部７から容易に取り外すことができる。
【００６７】
十字スイッチユニット１３の取り付けは、操作パネル部７の開口部７ｃの表側から十字スイッチユニット１３を挿入し、操作パネル部７の開口部７ｃの裏側から、十字スイッチユニット１３のスイッチケース２１０の胴部２１１下端部に、ロック部材２４０の貫通孔部２４３を嵌め込み、ロック部材２４０を操作パネル部７の開口部７ｃの裏側に当接させる。次にロック部材２４０を時計回りに回転させると、スイッチケース２１０の係止用突部２１３が、ロック部材２４０の係止部２４５に係止され、回動規制位置（突当り位置）まで回転（約４５度回転）させることでロック（固定）された状態となる。
【００６８】
スイッチケース２１０の胴部２１１に設けられた係止用突部２１３におけるロック部材２４０の係止部２４５との係止面２１３ａが、ロック部材を操作パネル部側に押圧可能なテーパ状に形成されているので、ロック部材２４０が操作パネル部７側に押圧され、十字スイッチユニット１３をしっかりと固定することができる。
【００６９】
十字スイッチユニット１３を取り外すときは、ロック部材２４０を反時計回りに回動させて、前記ロックされた状態を解除し、取り付け時と逆の動作を行うことで、十字スイッチユニット１３とロック部材２４０とを操作パネル部７から容易に取り外すことができる。
【００７０】
上記実施の形態に係るマックスベットボタンユニット９の取付構造によれば、ロックケース９０の貫通孔９８に貫通させた回動ロック部材８０を約９０度回動させる操作により、ロックケース９０に回動ロック部材８０が回動規制状態で係止され、操作パネル部７にマックスベットボタンユニット９及びロックケース９０が一体的に固定されるので、操作パネル部７にマックスベットボタンユニット９とロックケース９０とを一度に簡単に取り付けることができ、取付け工数を少なくすることができ、また取外し作業も簡単に行うことができる。また、回動ロック部材８０の押圧部８５でロックケース９０を押圧しつつ、ロックケース９０の位置決め係止部９９及び弾性アーム部９５の挟持部９６により回動ロック部材８０の位置決め用の突起部８６及び摘み部８２がそれぞれ位置決めされて回動ロック部材８０の回動が規制されるので、マックスベットボタンユニット９の操作パネル部７への取付け後も長くガタ付くことなくしっかりと密着させた状態で固定することができる。また、操作パネル部７の構造をシンプルなものにすることができる。
【００７１】
上記実施の形態に係るスペシャルボタンユニット１２の取付構造によれば、ロックケース１７０の貫通孔１８１に貫通させた回動ロック部材１６０を約９０度回動させる操作により、スペシャルボタンユニット１２を操作パネル部７へ簡単に取り付けることができ、また取外し作業も簡単に行うことができる。また、回動ロック部材１６０の押圧部１６５でロックケース１７０を押圧しつつ、ロックケース１７０の位置決め係止部１８２及び弾性アーム部１７９の挟持部１８０により回動ロック部材１６０の位置決め用の突起部１６６及び摘み部１６２がそれぞれ位置決めされて回動ロック部材１６０の回動が規制されるので、スペシャルボタンユニット１２の操作パネル部７への取付け後も長くガタ付くことなくしっかりと密着させた状態で固定することができる。また、ロックケース１７０が、操作パネル部７の開口部７ｂの裏面に係止爪部１７４、１７５により係止させるものであるので、ロックケース１７０を予め操作パネル部７へ装着しておくことで、スペシャルボタンユニット１２の取り付け作業や取り外し作業をより簡単に行うことができる。
【００７２】
上記実施の形態に係る十字スイッチユニット１３の取付構造によれば、スイッチケース２１０の胴部２１１と係止用突部２１３とをロック部材２４０の貫通孔部２４３に貫通させ、ロック部材２４０を周方向に回転させて、係止用突部２１３を係止部２４５に押圧状態で係止させることにより、十字スイッチユニット１３を操作パネル部７へ簡単かつ、ガタ付くことなくしっかりと密着させた状態で固定することができ、また、ロック部材２４０を周方向に逆回転させることにより、十字スイッチユニット１３を操作パネル部７から簡単に取り外すことができ、作業性の高い取付構造とすることができる。
【００７３】
また上記実施の形態に係る各種スイッチ（ボタン）ユニットの取付構造が採用された回胴式遊技機１によれば、当該遊技機に設けられるスイッチ（ボタン）ユニットの取り付け作業や取り外し作業が容易になり、これらの作業性の良い遊技機を提供することができる。
【符号の説明】
【００７４】
１  回胴式遊技機
７  操作パネル部（取付パネル）
７ａ、７ｂ、７ｃ  開口部
９  マックスベットボタンユニット（スイッチユニット）
１２  スペシャルボタンユニット（スイッチユニット）
１３  十字スイッチユニット（スイッチユニット）
５０、１３０  ボタンケース（スイッチケース）
２１０  スイッチケース
７０、１５０、２３０  裏蓋
７５、１５５  回動範囲規制部
８０、１６０  回動ロック部材
８４、１６４  係止部
８５、１６５  押圧部
８６、１６６  位置決め用の突起部
９０、１７０  ロックケース
９５、１７９  弾性アーム部（弾性係止部）
９６、１８０  挟持部
９８、１８１  貫通孔
９９、１８２  位置決め係止部
２４０  ロック部材
【図１】
0006555685.tif 000002
【図２】
0006555685.tif 000003
【図３】
0006555685.tif 000004
【図４】
0006555685.tif 000005
【図５】
0006555685.tif 000006
【図６】
0006555685.tif 000007
【図７】
0006555685.tif 000008
【図８】
0006555685.tif 000009
【図９】
0006555685.tif 000010
【図１０】
0006555685.tif 000011
【図１１】
0006555685.tif 000012
【図１２】
0006555685.tif 000013
【図１３】
0006555685.tif 000014